(57)【要約】【課題】投入した硬貨の量に応じてぬいぐるみが挙動し、視覚的に硬貨量を認識可能で、なおかつ高価な部品や複雑な構造を必要とせず、製造が容易なぬいぐるみ貯金箱を提供すること。【解決手段】ハウジングと、前記ハウジングの中に設けられ上下に移動可能な中空の硬貨ボックスと、前記ハウジングの少なくとも一側面に設けられる軸受けと、前記軸受けに設置される回転軸と、前記ハウジングと前記硬貨ボックスの間に位置する円弧状の内アーム又は円形カムと、前記ハウジングの外部に露出する全体として前記内アーム又は円形カムより重い外アームとからなるアームと、前記硬貨ボックスの一側面に設置される、前記内アーム又は円形カムの上部に位置し、かつ軸受けの垂直線上には位置しない内アーム又は円形カム受け部材と、からなる貯金箱が、ぬいぐるみ内に設置されていること。【選択図】図４
0003136085.tif 000002
【実用新案登録請求の範囲】
【請求項１】
ハウジングと、前記ハウジングの中に設けられ上下に移動可能な中空の硬貨ボックスと、
前記ハウジングの少なくとも一側面に設けられる軸受けと、
前記軸受けに設置される回転軸と、前記ハウジングと前記硬貨ボックスの間に位置する円弧状の内アーム又は円形カムと、前記ハウジングの外部に露出する全体として前記内アーム又は円形カムより重い外アームとからなるアームと、
前記硬貨ボックスの一側面に設置される、前記内アーム又は円形カムの上部に位置し、かつ軸受けの垂直線上には位置しない内アーム又は円形カム受け部材と、
からなる貯金箱が、ぬいぐるみ内に設置されていることを特徴とするぬいぐるみ貯金箱。
【請求項２】
前記ハウジングにＬＥＤ点滅基盤又は音声発生装置が備えられ、前記ＬＥＤ点滅基盤又は音声発生装置を前記硬貨ボックスの移動により起動させるスイッチが前記ハウジング内に設けられていることを特徴とする請求項１に記載のぬいぐるみ貯金箱。
【考案の詳細な説明】
【技術分野】
【０００１】
本考案は、動くぬいぐるみ貯金箱に関する。特に、投入した硬貨の量に応じて挙動する、ぬいぐるみ貯金箱に関する。
【背景技術】
【０００２】
従来より、貯金箱の外形として、様々な動物やキャラクターを利用したものが用いられている。まねき猫や、漫画のキャラクターなどがその典型である。
これらの貯金箱には、例えば咀嚼作動を備えたロボット玩具など、そのキャラクターが動くものがある（例えば、特許文献１参照。）。
【０００３】
しかしながら、近年の国際的な経済状況の変化により、貯金箱などのおもちゃ類について、生産コストの高いものは市場で受け入れられない状況となっている。そのため、上記の技術等、外形が挙動する貯金箱については、様々な部品を調達しなければならず、生産コストが高くなってしまうという問題がある。
しかし、このような生産コストの低下の圧力と共に、趣向を凝らした貯金箱や動くぬいぐるみ等、その品質に関する要求は非常に高い、という現実がある。
【特許文献１】実開平６３−１２０６９３
【考案の開示】
【考案が解決しようとする課題】
【０００４】
そこで、本考案は、投入した硬貨の量に応じてぬいぐるみが挙動し、視覚的に硬貨量を認識可能で、なおかつ高価な部品や複雑な構造を必要とせず、製造が容易なぬいぐるみ貯金箱を提供することを目的とする。
【課題を解決するための手段】
【０００５】
前記目的を達成するため、本考案のぬいぐるみ貯金箱は、ハウジングと、前記ハウジングの中に設けられ上下に移動可能な中空の硬貨ボックスと、前記ハウジングの少なくとも一側面に設けられる軸受けと、前記軸受けに設置される回転軸と、前記ハウジングと前記硬貨ボックスの間に位置する円弧状の内アーム又は円形カムと、前記ハウジングの外部に露出する全体として前記内アーム又は円形カムより重い外アームとからなるアームと、前記硬貨ボックスの一側面に設置される、前記内アーム又は円形カムの上部に位置し、かつ軸受けの垂直線上には位置しない内アーム又は円形カム受け部材と、からなる貯金箱が、ぬいぐるみ内に設置されていることからなる。
【０００６】
また、前記ハウジングにＬＥＤ点滅基盤又は音声発生装置が備えられ、前記ＬＥＤ点滅基盤又は音声発生装置を前記硬貨ボックスの移動により起動させるスイッチが前記ハウジング内に設けられていることが好適である。
【０００７】
本考案において、貯金箱は、ハウジングと、ハウジングの中に設けられ上下に移動可能な中空の硬貨ボックスを有する。ハウジングの上部又は側部には硬貨投入口が設けられ、投入された硬貨が硬貨ボックスに収容されるよう構成される。
ハウジングには、少なくともその一側面に軸受けが設けられる。この軸受けに、回転軸を持ったアームが設置される。このアームは、回転軸と、ハウジングの外部に露出する外アームと、ハウジングと硬貨ボックスの間に位置する円弧状の内アーム又は円形カムとからなる。内アーム又は円形カム・回転軸・外アームは針金やプラスチックなどで一体的に又は連結的に構成される。また、外アームは内アーム又は円形カムよりも全体として重い構成となっている。
【０００８】
一方、硬貨ボックスの一側面には、内アーム又は円形カム受け部材が設けられる。部材は、例えばピンやシャフトであり、内アーム又は円形カムの上部に位置し、内アーム又は円形カムを上から押さえるような状態で内アーム又は円形カムを受ける。また、軸受けの垂直線上には内アーム又は円形カム受け部材は位置しない。
【０００９】
上記の構成により、硬貨ボックスに硬貨が何も入っていない時には、外アームが内アーム又は円形カムより重いので、外アームは下向きに、内アーム又は円形カムは上向きの状態を維持する。
【００１０】
そして、硬貨を投入してゆくと、その重量により硬貨ボックスは下方向へ移動しようとする。この時、内アーム又は円形カム受け部材は、内アーム又は円形カムを下方向に押す力を生じ、硬貨が一定重量を超えると下方向へ押し動かす。
【００１１】
その際、軸受けと内アーム又は円形カム受け部材が互いの垂直線上にないこと、及び内アームが円弧状になっていること又は円形カムにより、アームは回転軸を軸としてスムーズに回転し、外アームが回転しながら上方へ移動することが出来る。このとき、内アーム又は円形カムは回転しながら下方へ移動している。
【００１２】
すなわち、本考案においては、軸受けと内アーム又は円形カム受け部材が互いの垂直線上にないことにより、硬貨ボックスの上下運動を回転運動に変えるクランク型の機構とし、かつ、円形カムを利用もしくはアームの回転運動に支障がないよう円弧状の内アームを利用したものである。もし、軸受けと内アーム受け部材が同じ垂直線上あればクランク機能を果たせず、また、もし内アームが直線形状であると、アームが回転するときに硬貨ボックスを横に押す力も働いてしまい、引っかかりが生じてアームがスムーズに回転しないのである。
【００１３】
なお、硬貨ボックスやアームの重さや素材の選択により、どれだけの硬貨を入れるとどれだけ動くかについては、ぬいぐるみや貯金箱のサイズに合わせて自由に設計が可能である。上記のように、アームは一側面のみでなく、両側面又はそれ以上配置することができる。
【００１４】
貯金箱は、ぬいぐるみ内に設けられ、硬貨投入口より硬貨投入できる。アームは、例えばぬいぐるみの腕部分に位置している。ぬいぐるみは、一般に市販されているぬいぐるみも利用することができる。
【００１５】
そして、利用者は硬貨を投入してゆくと、徐々に硬貨ボックスが降下し、アームが上がってゆく。これにより、利用者は視覚的に硬貨の入っている量を確認でき、またぬいぐるみが動く楽しさも感じることができる。
【００１６】
さらに、ハウジングの底部に、例えばＬＥＤ点滅基盤や音声発生装置を起動させるスイッチを設けておけば、硬貨ボックスが底部まで降りてきたときに、スイッチを押して、ぬいぐるみを光らせたり音声を発生させるなど、様々な追加的な趣向を凝らすことができ、それらはぬいぐるみに合わせて適宜変更可能である。また、底部以外にもスイッチの位置の調整により、硬貨の投入量に合わせて、追加的な趣向を発生させるタイミングを自由に調整できる。このように、追加的な趣向の発生に関し、硬貨ボックスの上下運動を利用してスイッチのオン／オフを制御するので、特別な装置を全く必要としないものである。
【００１７】
また、ハウジングや硬貨ボックス等の部材は、紙・プラスチック・ビニールなどを利用でき、アームもプラスチックや針金など、入手も成形も簡単で安価なものを利用できる。そのため、視覚的に硬貨の入っている量を確認でき、またぬいぐるみが動く楽しさも感じることができ、さらに他の趣向も取り入れることができる効果を有しているにもかかわらず、最も簡単な構造でかつ生産コストを最小限に押さえることができる。
【考案の効果】
【００１８】
本考案は以上の構成により、投入した硬貨の量に応じてぬいぐるみが挙動し、視覚的に硬貨量を認識可能で、なおかつ高価な部品や複雑な構造を必要とせず、製造が容易なぬいぐるみ貯金箱を提供することができる。さらに、ぬいぐるみにライトや音声発生装置などを付加することも容易であるという効果も有する。
【考案を実施するための最良の形態】
【００１９】
本考案の実施の形態の例を図面に基づいて説明する。
【００２０】
図１は、貯金箱１を側面から見た構造図であり、図２は、貯金箱１を正面から見た構造図であり、図３は、貯金箱１を上から見た構造図である。
【００２１】
図１から図３に示すように、貯金箱１は、ハウジング２と、ハウジング２の中に設けられた中空の硬貨ボックス３を有する。ハウジング２の上部又は側部には硬貨投入口（図示せず）が設けられ、投入された硬貨が硬貨ボックス３に収容されるよう構成される。
【００２２】
ハウジング２には、少なくともその一側面に軸受け４が設けられる。この軸受け４に、回転軸６を持ったアーム５が設置される。このアーム５は、回転軸６と、ハウジング２の外部に露出する外アーム７と、ハウジング２と硬貨ボックス３の間に位置する円弧状の内アーム８とにより、一体的に又は連結的に構成される。また、外アーム７は内アーム８よりも全体として重い構成となっている。内アーム８に替えて円形カムを利用しても良い。
【００２３】
一方、硬貨ボックス３の一側面には、内アーム受け部材９が設けられる。内アーム受け部材９は、例えばピンやシャフトであり、内アーム８の上部に位置し、内アーム８を上から押さえるような状態で内アーム８を受ける。また、軸受け４の垂直線上には内アーム受け部材９は位置しない。
【００２４】
上記の構成により、硬貨ボックス３に硬貨が何も入っていない時には、外アーム７を持ち上げるほどの負荷がかからず、外アーム７は下向きに、内アーム８は上向きの状態を維持する。
【００２５】
そして、硬貨を投入してゆくと、その重量により硬貨ボックス３は下方向へ移動しようとする。この時、内アーム受け部材９は、内アーム７を下方向に押す力を生じ、硬貨が一定重量を超えると下方向へ動かす。
【００２６】
その際、軸受け４と内アーム受け部材９が互いの垂直線上にないこと、及び内アーム８が円弧状になっていることにより、アーム５はスムーズに回転し、外アーム７は回転しながら上方向（点線の位置）へ移動することが出来る。このとき、内アーム受け部材９は下方向（点線の位置）へ移動している。
【００２７】
すなわち、本考案は、軸受け４と内アーム受け部材９が互いの垂直線上にないようにし、硬貨ボックス３の上下運動を回転運動に変えるクランク型の機構とし、かつ、アーム５の回転運動に支障がないよう内アーム８を円弧状にしたものである。したがって、内アームに替えて円形カムを利用することも可能である。もし、軸受け４と内アーム受け部材９が同じ垂直線上あればクランク機能を果たせず、また、もし内アーム８が直線形状であると、アーム５が回転するときに硬貨ボックス３を横に押す力も働いてしまい、引っかかりが生じてアーム５がスムーズに回転しないものである。
【００２８】
なお、硬貨ボックス３やアーム５の重さや素材の選択により、どれだけの硬貨を入れるとどれだけ動くかについては、ぬいぐるみや貯金箱のサイズに合わせて自由に設計が可能である。
【００２９】
図４は、貯金箱１をぬいぐるみ１０内に設置した状態を示す図である。本図面におけるぬいぐるみは、一般に市販されているぬいぐるみを基にしている。
図４のＡに示すように、貯金箱１は、ぬいぐるみ１０内に設けられ、貯金箱１の上部に設けられた硬貨投入口（図示せず）より硬貨を投入できる。アーム５は、ぬいぐるみの腕部分に位置している。
【００３０】
そして、利用者は硬貨を投入してゆくと、硬貨の重さにより徐々に硬貨ボックス３が降下し、アーム５が図４のＢ、Ｃのように上がってゆく。これにより、利用者は視覚的に硬貨の入っている量を確認でき、またぬいぐるみが動く楽しさも感じることができる。
【００３１】
さらに、ハウジング２の底部に、例えばハウジング２に設けられたＬＥＤ点滅基盤１１を点滅させるスイッチ１２を設けておけば、図４Ｃのように硬貨ボックス３が底部まで移動して降りてきたときに、スイッチ１２が押されて、満タンランプとしてＬＥＤを点滅させ、ぬいぐるみ１０を光らせることもできる。なお、ＬＥＤ点滅基盤１１を音声発生装置にするなど、追加的な趣向はぬいぐるみに合わせて適宜変更可能である。また、スイッチ１２の位置により、硬貨の投入量に合わせて追加的な趣向を発生させる時期は自由に調整できる。このように、追加的な趣向の発生に関し、硬貨ボックスの移動を利用してスイッチ１２のオン／オフを制御するので、特別な装置を全く必要としないものである。
【図面の簡単な説明】
【００３２】
【図１】貯金箱を側面から見た構造図である。
【図２】貯金箱を正面からみた状態を示す構造図である。
【図３】貯金箱を上から見た構造図である。
【図４】貯金箱をぬいぐるみ内に設置した状態を示す図である。
【符号の説明】
【００３３】
１  貯金箱
２  ハウジング
３  硬貨ボックス
４  軸受け
５  アーム
６  回転軸
７  外アーム
８  内アーム
９  内アーム受け部材
１０  ぬいぐるみ
１１  ＬＥＤ点滅基盤
１２  スイッチ
【図１】
0003136085.tif 000003
【図２】
0003136085.tif 000004
【図３】
0003136085.tif 000005
【図４】
0003136085.tif 000006